(57)【要約】【課題】不正開封を防止できるとともに、容易に開封できるカートン及びその封緘に用いられる封緘テープを提供すること。【解決手段】本発明のカートン１は、本体３と、本体３に組み合わされて本体３を覆うとともに、本体３から分離可能な蓋体２とを備え、本体３は、底面部３１と、底面部３１の外周に沿って立設された側面部３２とを備え、蓋体２は、上面部２１と、上面部２１の外周に沿って立設された側面部２２とを備え、本体３に蓋体２がかぶせられて互いの側面部２２，３２どうしが近接対向するものであって、本体３の側面部３２と蓋体２の側面部２２との間には、これら側面部２２，３２の間に介在されて各側面部２２，３２どうしを接着する封緘テープ１０が設けられ、封緘テープ１０は対向する各側面部２２，３２の間から突出する。【選択図】図２
2014080208.tif 000002
【特許請求の範囲】
【請求項１】
本体と、蓋体とからなる身蓋カートンであって、
前記本体の側面部と、前記蓋体の側面部との間に介在して両側面部を接着する封緘テープが設けられ、
前記封緘テープの一部が、開封用把持部を形成することを特徴とするカートン。
【請求項２】
本体と、蓋体とからなる身蓋カートンの封緘に際し、
前記本体の側面部と、前記蓋体の側面部との間に介在し、両側面部の接着に用いられる封緘テープにおいて、
前記本体の側面部に接着される第１接着層と、前記蓋体の側面部に接着される第２接着層とを備え、
かつ、両側面部の間から突出して開封時に把持可能な開封用把持部を有することを特徴とする封緘テープ。
【請求項３】
前記封緘テープは、基材と、前記基材の表面に積層され、前記第１接着層および前記第２接着層が形成される外層とから構成されていることを特徴とする請求項２記載の封緘テープ。
【請求項４】
前記封緘テープは、基材と、前記第１接着層および前記第２接着層が形成される外層と、前記基材と前記外層との間に積層され、前記基材を補強する中間層とから構成されていることを特徴とする請求項２記載の封緘テープ。
【請求項５】
前記封緘テープの厚みは７５０μm以下であることを特徴とする請求項２ないし請求項４のいずれかに記載の封緘テープ。
【請求項６】
前記封緘テープの幅は５mm以上３０mm以下であることを特徴とする請求項２ないし請求項５のいずれかに記載の封緘テープ。
【請求項７】
前記封緘テープにおける前記両側面部の間から突出する開封用把持部の長さが、５mm以上２５mm以下であることを特徴とする請求項２ないし請求項６のいずれかに記載の封緘テープ。
【発明の詳細な説明】
【技術分野】
【０００１】
本発明は、身蓋カートン及びその封緘に用いられる封緘テープに関する。
【背景技術】
【０００２】
従来、本体と、蓋体とからなり、ブロックチーズなどの個包装された内容物を収納する身蓋カートンが知られている（例えば、特許文献１）。
このような特許文献１に記載のカートンでは、本体に内容物を配置し、その後、本体を蓋体で覆い、封緘用のテープをカートンの底面角部に貼り、本体と蓋体とに跨るように貼着してカートンを封止する。このようなカートンにおいては、一旦テープを剥がしてカートンを開封した場合でも、再度テープを貼り直してカートンを封止することが可能であり、いわゆる不正開封が比較的容易という問題があった。
【０００３】
このため、従来、この不正開封を防止するために、一旦剥がすと一部が本体の底面部に貼り付いたままとなり、途中で切れて再度貼り直すことができないテープを備えるカートンが知られている。
【先行技術文献】
【特許文献】
【０００４】
【特許文献１】特開２００６−２８２１７５号公報
【発明の概要】
【発明が解決しようとする課題】
【０００５】
しかし、このように不正開封を防止した従来のカートンでは、そもそもテープを本体及び蓋体から剥がしにくく、よってカートンを開封しにくいという問題がある。
【０００６】
そこで、本発明は、不正開封を防止できるとともに、容易に開封できるカートン及びその封緘に用いられる封緘テープを提供することを目的とする。
【課題を解決するための手段】
【０００７】
本発明は以下の構成によるものである。
（１）本体と、蓋体とからなる身蓋カートンであって、前記本体の側面部と、前記蓋体の側面部との間に介在して両側面部を接着する封緘テープが設けられ、前記封緘テープの一部が、開封用把持部を形成することを特徴とするカートン。
【０００８】
（２）本体と、蓋体とからなる身蓋カートンの封緘に際し、前記本体の側面部と、前記蓋体の側面部との間に介在し、両側面部の接着に用いられる封緘テープにおいて、前記本体の側面部に接着される第１接着層と、前記蓋体の側面部に接着される第２接着層とを備え、かつ、両側面部の間から突出して開封時に把持可能な開封用把持部を有することを特徴とする封緘テープ。
（３）前記封緘テープは、基材と、前記基材の表面に積層され、前記第１接着層および前記第２接着層が形成される外層とから構成されていることを特徴とする（２）記載の封緘テープ。
【０００９】
（４）前記封緘テープは、基材と、前記第１接着層および前記第２接着層が形成される外層と、前記基材と前記外層との間に積層され、前記基材を補強する中間層とから構成されていることを特徴とする（２）記載の封緘テープ。
（５）前記封緘テープの厚みは７５０μm以下であることを特徴とする（２）ないし（４）のいずれかに記載の封緘テープ。
【００１０】
（６）前記封緘テープの幅は５mm以上３０mm以下であることを特徴とする（２）ないし（５）のいずれかに記載の封緘テープ。
（７）前記封緘テープにおける前記両側面部の間から突出する開封用把持部の長さが、５mm以上２５mm以下であることを特徴とする（２）ないし（６）のいずれかに記載の封緘テープ。
【図面の簡単な説明】
【００１１】
【図１】本発明の第１実施形態にかかるカートンを示す分解斜視図。
【図２】前記実施形態にかかるカートンを組み立てた状態を示す斜視図。
【図３】前記実施形態にかかるカートンを示す部分断面図。
【図４】前記実施形態にかかる封緘テープを示す断面図。
【図５】本発明の第２実施形態にかかる封緘テープを示す断面図。
【発明を実施するための形態】
【００１２】
本発明のカートンは、本体と、蓋体とからなる身蓋カートンであって、前記本体の側面部と、前記蓋体の側面部との間に介在して両側面部を接着する封緘テープが設けられ、前記封緘テープの一部が、開封用把持部を形成することを特徴とする。
【００１３】
また、本発明の封緘テープは、本体と、蓋体とからなる身蓋カートンの封緘に際し、前記本体の側面部と、前記蓋体の側面部との間に介在し、両側面部の接着に用いられる封緘テープにおいて、前記本体の側面部に接着される第１接着層と、前記蓋体の側面部に接着される第２接着層とを備え、かつ、両側面部の間から突出して開封時に把持可能な開封用把持部を有することを特徴とする。
【００１４】
このような本発明においては、本体の側面部と蓋体の側面部との間には、これら側面部の間に介在されて各側面部どうしを接着する封緘テープが設けられる。この際、封緘テープと各側面部との接着については、従来のような再接着不可能な接着手段を用いることができる。そして、本発明によれば、そのような封緘テープが両側面部の間から突出して開封時に把持可能な開封用把持部を形成するため、カートンを開封する場合には、封緘テープを引いて双方の側面部から剥がせばよい。これにより、封緘テープを再接着できず、カートンの不正開封を防止できるとともに、本体および蓋体の両側面部の間から突出した開封用把持部を引くだけで、カートンを容易に開封でき、従来のような開封のしにくさを解消できる。
【００１５】
本発明の封緘テープは、基材と、前記基材の表面に積層され、前記第１接着層および前記第２接着層が形成される外層とから構成されていることが好ましい。
このような構成により、封緘テープを簡易な構造で形成できる。
【００１６】
本発明の封緘テープは、基材と、前記第１接着層および前記第２接着層が形成される外層と、前記基材の表面であって前記基材と前記外層との間に積層され、前記基材を補強する中間層とから構成されていることが好ましい。
このように、封緘テープには基材を補強する中間層が形成されているので、カートンを開封する時に封緘テープの開封用把持部を引くなどすることにより封緘テープに力が加えられた場合でも、テープが破断することを防止できる。
【００１７】
本発明の封緘テープにおいては、前記封緘テープの厚みは７５０μm以下であることが好ましい。
このような構成により、封緘テープを本体の側面部と蓋体の側面部との間に確実に配置でき、蓋体及び本体に確実に接着できる。
【００１８】
本発明の封緘テープの幅は５mm以上３０mm以下であることが好ましい。
このような構成により、テープを本体の側面部などへ接着しやすく、また、封緘テープを指で確実に把持できて容易に剥がすことができる。
【００１９】
本発明の封緘テープにおいては、前記封緘テープにおける前記両側面部の間から突出する開封用把持部は５mm以上２５mm以下であることが好ましい。
このような構成により、封緘テープを指で確実に把持でき、下方へ引いた場合にも途中で破断することを防止できる。
【００２０】
〔第１実施形態〕
以下、本発明の第１実施形態を図面に基づいて説明する。
図１は、本実施形態にかかるカートンを示す分解斜視図である。図２は、本実施形態にかかるカートンを組み立てた状態を示す斜視図である。図３は、本実施形態にかかるカートンを示す部分断面図である。
本実施形態にかかるカートン１は、ブロックチーズなどの個包装された内容物（図示せず）を収納するものであり、図１ないし図３に示すように、本体３と、本体３に組み合わされて本体３を覆うとともに、本体３から分離可能な蓋体２とを備え、蓋体２と本体３との間に貼付された一対の封緘テープ１０により封止される（図２の点線参照）。
【００２１】
蓋体２は、板紙などのシート材をトムソン刃等を用いて型抜きすることによりできたブランクから形成される。蓋体２は、円板形状の上面部２１と、上面部２１の外周に沿って立設された円筒面からなる側面部２２とを備え、図１中の下方側が開口している。
【００２２】
本体３は、蓋体２と同様にブランクから形成される。本体３は、円板形状の底面部３１と、底面部３１の外周に沿って立設された円筒面からなる側面部３２とを備え、図１中の上方側が開口している。
このような蓋体２の側面部２２の外径は本体３の側面部３２の外径よりもわずかに大きく、蓋体２の側面部２２の高さ（図１中上下方向の長さ）は本体３の側面部３２の高さと略同一か、又は本体３の側面部３２の高さよりもわずかに小さい。
【００２３】
封緘テープ１０は、本体３の側面部３２と蓋体２の側面部２２との間に配置され、側面部３２と側面部２２との間に介在されて側面部３２と側面部２２とを接着するものであり、カートン１の封緘に用いられる。
封緘テープ１０は、矩形状であり、７５０μm以下の厚み（図４中上下方向の長さ）と、５mm以上３０mm以下の幅（図１中左右方向の長さ）とを有する。
【００２４】
図４は、本実施形態にかかる封緘テープを示す断面図である。
図４に示すように、封緘テープ１０は、三層構造であり、基材１０１と、基材１０１の表面に積層された外層１０２，１０３とを備える。
基材１０１は、ポリエチレンテレフタレート（ＰＥＴ）、延伸ポリプロピレン（ＯＰＰ）、ナイロンなどで形成される。また、基材１０１はアルミ箔で構成されてもよく、アルミ箔を用いることで、封緘テープ１０を指で引いて封緘テープ１０に力が加えられた場合でも、封緘テープ１０の形状を引かれる前の元の形状に近い状態で保持できる。
【００２５】
外層１０２，１０３は、リニア低密度ポリエチレン（ＬＬＤＰＥ）などのポリエチレン（ＰＥ）や無延伸ポリプロピレン（ＣＰＰ）などのシーラント剤を押出成形することによって形成される。そして、この外層１０２，１０３のうち所定領域において、押出成形されたシーラント剤に熱や超音波を加えて溶解し、所定時間経過させて固化することによって第１接着層としての接着層１０２Ａおよび第２接着層としての接着層１０３Ａが形成される。ここで、所定領域は図４中右端部から点線部分までの領域であり、本体３の側面部３２の高さ部分に対応する領域である。外層１０２，１０３のうち接着層１０２Ａ，１０３Ａ以外の領域は接着機能を有していない非接着層１０２Ｂ，１０３Ｂである。
【００２６】
あるいは、外層１０２，１０３は、リニア低密度ポリエチレンなどのポリエチレンや無延伸ポリプロピレンを溶媒に溶かしたコート剤を基材１０１の表面に塗布することによって形成される。この場合には、外層１０２，１０３のうち所定領域において、基材１０１の表面に塗布されたコート剤に熱を加えることによって接着層１０２Ａ，１０３Ａが形成される。
このような外層１０２と外層１０３とは、同じ材料から形成されてもよいし、互いに異なる材料から形成されてもよい。
【００２７】
図１に示すような蓋体２と本体３とが形成されると、本体３の底面部３１上にチーズなどの個包装された内容物を載置する。その後、まず、本体３の側面部３２の外面に一対の封緘テープ１０，１０をそれぞれの接着層１０２Ａを介して互いに対向する位置に接着する。このとき、テープ１０の各接着層１０３Ａは外に露出している。
【００２８】
このような封緘テープ１０が接着された本体３に蓋体２をかぶせ、蓋体２の側面部２２の内面を本体３の側面部３２の外面に水平方向に対して対向させて側面部２２と側面部３２とを近接対向させ、封緘テープ１０の各接着層１０３Ａを蓋体２の側面部２２の内面に接着する。これによって、図２に示すように、蓋体２が、本体３に対して封緘テープ１０を介して組み合わされる。蓋体２が本体３に組み合わされると、図２および図３に示すように、非接着層１０２Ｂ，１０３Ｂ、及び基材１０１のうち非接着層１０２Ｂ，１０３Ｂに対応する部分が開封用把持部１１０として側面部２２と側面部３２との間から突出し、本体３の底面部３１よりも図２および図３中の下方に突出する。開封用把持部１１０の突出長さｈは５mm以上２５mm以下である。
なお、複数のカートン１を上下方向に積む場合には、図３に２点鎖線で示すように、開封用把持部１１０を折り曲げて本体３の底面部３１に重ねる。
【００２９】
このような蓋体２と本体３とが組み合わされたカートン１を開封する場合には、まず、開封用把持部１１０を介して封緘テープ１０を指で把持して下方に引く。すると、接着層１０２Ａが本体３の側面部３２から剥がれ、接着層１０３Ａが蓋体２の側面部２２から剥がれて、封緘テープ１０全体が剥がれる。封緘テープ１０全体が剥がれることにより、蓋体２が本体３から分離可能となるので、本体３を把持した状態で、蓋体２を持ち上げて本体３から分離する。これによって、カートン１が開封される。
【００３０】
以上のような本実施形態によれば、次のような効果が得られる。
（１）本実施形態のカートン１においては、封緘テープ１０が本体３の側面部３２と蓋体２の側面部２２との間に配置され、側面部３２と側面部２２との間から突出する。このため、カートン１を開封する場合には、封緘テープ１０を引いて側面部２２と側面部３２とから剥がせばよく、カートン１の不正開封を防止できる。また、各側面部２２，３２の間から突出した封緘テープ１０を引くだけで、カートン１を容易に開封できる。
【００３１】
（２）本実施形態の封緘テープ１０は、基材１０１と、接着層１０２Ａ，１０３Ａが形成される外層１０２，１０３とから構成されているため、簡易な構造で形成できる。
（３）封緘テープ１０の厚みは７５０μm以下であるため、封緘テープ１０を本体３の側面部３２と蓋体２の側面部２２との間に確実に配置でき、蓋体２及び本体３に確実に接着できる。
（４）封緘テープ１０の幅は５mm以上３０mm以下であるため、本体３の側面部３２への接着作業を行いやすく、また、封緘テープ１０を指で確実に把持できて容易に剥がすことができる。
（５）封緘テープ１０の突出長さｈは５mm以上２５mm以下であるため、封緘テープ１０を指で確実に把持でき、下方へ引いた場合にも途中で破断することを防止できる。
【００３２】
［第２実施形態］
次に、本発明の第２実施形態を図面に基づいて説明する。なお、第１実施形態と同一部材等には、第１実施形態で使用した符号をそのまま使用することとし、それらの部材の説明を省略または簡略化する。図５は、本実施形態にかかる封緘テープを示す断面図である。
本実施形態では、第１実施形態と異なり、封緘テープ１０Ａは、五層構造であり、基材１０１の表面であって基材１０１と外層１０２との間に中間層１０４が積層され、基材１０１と外層１０３との間に中間層１０５が積層されている。
中間層１０４，１０５は基材１０１を補強する層であり、リニア低密度ポリエチレンなどのポリエチレンや無延伸ポリプロピレンなどのシーラント剤を押出成形することによって形成される。なお、互いに隣接する外層１０２と中間層１０４とは異なる材料から形成されることが好ましく、同様に、互いに隣接する外層１０３と中間層１０５とも異なる材料から形成されることが好ましい。
【００３３】
以上のような本実施形態によれば、第１実施形態と同様の（１）、（３）〜（５）の効果が得られる上に、次のような効果が得られる。
（６）本実施形態の封緘テープ１０Ａは、基材１０１と、接着層１０２Ａ，１０３Ａが形成される外層１０２，１０３と、中間層１０４，１０５とから構成されている。基材１０１を補強する中間層１０４，１０５が形成されているので、カートン１を開封する時に封緘テープ１０Ａを引くことにより封緘テープ１０Ａに力が加えられた場合でも、封緘テープ１０Ａが破断することを防止できる。
【００３４】
なお、本発明は前述の実施形態に限定されるものではなく、本発明の目的を達成できる範囲での変形、改良などは本発明に含まれるものである。
例えば、前記第１及び第２実施形態では、封緘テープ１０，１０Ａは一対配置されていたが、それには限定されず、１枚だけ配置されていてもよく、あるいは、カートン１の開封が煩雑にならない程度に３枚以上配置されていてもよい。
【００３５】
また、前記第１及び第２実施形態では、蓋体２を本体３に組み合わせる際に、まず、封緘テープ１０を本体３の側面部３２に接着し、封緘テープ１０が接着された本体３に蓋体２を組み合わせたが、これには限定されず、まず、封緘テープ１０を蓋体２の側面部２２に接着し、この封緘テープ１０が接着された蓋体２を本体３に組み合わせてもよい。また、まず蓋体２と本体３とを組み合わせてから、蓋体２の側面部２２の内面と、本体３の側面部３２の外面との隙間に封緘テープ１０を挿入し、蓋体２と本体３とを封緘テープ１０を介して同時に接着してもよい。
前記第２実施形態では、外層１０２と中間層１０４とが隣接し、また、外層１０３と中間層１０５とが隣接していたが、これには限定されず、外層１０２と中間層１０４との間に、及び外層１０３と中間層１０５との間に図示しない接着剤層が形成されていてもよい。
【産業上の利用可能性】
【００３６】
本発明は、チーズなどを収納するカートン及びその封緘に用いられる封緘テープとして好適に利用することができる。
【符号の説明】
【００３７】
１…カートン
２…蓋体
３…本体
１０，１０Ａ…封緘テープ
２２…側面部
３２…側面部
１０１…基材
１０２，１０３…外層
１０２Ａ…第１接着層である接着層
１０３Ａ…第２接着層である接着層
１０４，１０５…中間層
１１０…開封用把持部
【図１】
2014080208.tif 000003
【図２】
2014080208.tif 000004
【図３】
2014080208.tif 000005
【図４】
2014080208.tif 000006
【図５】
2014080208.tif 000007